(57)【要約】【課題】  薄型化が図られたプリンタを提供する。【解決手段】  インスタントフイルムシートの露光面と向き合う面に、インスタントフイルムシートのうちの１枚分のインスタントフイルムシートの搬送方向後端に延在してその１枚分のインスタントフイルムシート後端に係止する係止部２４ａを有するクロー２４を備えるとともに、一連のシーケンスを完了させる一回転カム６４と、その一回転カム６４が一回転する間に３回転する３回転カム６１とを備え、クロー２４の掻き上げを３回転カム６１によって行なう。【選択図】  図１４
2005280872.tif 000002
【特許請求の範囲】
【請求項１】
画像が記録される記録媒体を所定の搬送方向に搬送しながら該記録媒体に画像を書き込むことにより該記録媒体上に画像を記録するプリンタにおいて、
前記記録媒体が複数枚重ねられて収容された媒体パックが装填されるパック室と、
前記パック室に装填された記録媒体のうちの１枚分の記録媒体の搬送方向後端に係止し該記録媒体を該搬送方向に掻き上げて元の待機位置に戻るクローと、
前記クローにより掻き上げられてきた記録媒体の搬送を引き継ぐ搬送ローラとを備え、
前記クローが、前記パック室に装填された媒体パック内の記録媒体の面と向き合う面に設置され、該面から前記パック室に装填された記録媒体のうちの１枚分の記録媒体の搬送方向後端に延在して該１枚分の記録媒体後端に係止する係止部を有するものであることを特徴とするプリンタ。
【請求項２】
前記面と同じ側の面に設置された、一回転により搬送の一連のシーケンスを完了させる一回転カムと、該一回転カムが一回転する間に複数回回転する複数回転カムとを備え、
前記クローの掻き上げは、前記複数回転カムによって行なわれるものであることを特徴とする請求項１記載のプリンタ。
【請求項３】
前記面と同じ側の面に設置された、前記クローの動きあるいは前記複数回転カムに連動したカウント動作を行なうラチェット式カウンタを備えたことを特徴とする請求項１記載のプリンタ。
【発明の詳細な説明】
【技術分野】
【０００１】
本発明は、画像が記録される記録媒体を所定の搬送方向に搬送しながらその記録媒体に画像を書き込むことによりその記録媒体上に画像を記録するプリンタに関する。
【背景技術】
【０００２】
従来より、インスタントフイルムシート上に画像を記録するプリンタが知られている。このようなプリンタには、インスタントフイルムシートが複数枚重ねられて収容されたインスタントフイルムパックが装填されるパック室が備えられている。また、このパック室の側面には、そのパック室に装填されたインスタントフイルムシートのうちの１枚分のインスタントフイルムシート搬送方向後端に係止し、そのインスタントフイルムシートを搬送方向に掻き上げるクロー（爪）が備えられている。さらに、パック室の側面には、このクローの掻き上げを行なうためのカム等の機構部も備えられている。
【０００３】
インスタントフイルムシート上に画像を記録するには、上記カムの回転等によりパック室内のインスタントフイルムシートのうちの、１枚目のインスタントフイルムシートの後端をクローで掻き上げて搬送ローラで搬送し、そのインスタントフイルムシートにレッド（Ｒ）,グリーン（Ｇ）,ブルー（Ｂ）の発光色を持つ発光素子からの３つの色光を循環的に照射して潜像を書き込み、さらにそのインスタントフイルムシートが有する処理液溜りを展開ローラで押し潰して処理液を展開することにより行なう（例えば、特許文献１参照）。
【特許文献１】特開２００２−２２１７６１号公報
【発明の開示】
【発明が解決しようとする課題】
【０００４】
上述したように、従来のプリンタには、パック室の側面にクローおよびカム等の機構部が設置されている。ここで、クローの掻き上げ量（移動量）は比較的大きく、このため上記機構部のカム等もこの移動量に見合った十分に大きな寸法を有する。従って、プリンタの薄型化が困難であるという問題がある。
【０００５】
本発明は、上記事情に鑑み、薄型化が図られたプリンタを提供することを目的とする。
【課題を解決するための手段】
【０００６】
上記目的を達成する本発明のプリンタは、画像が記録される記録媒体を所定の搬送方向に搬送しながらその記録媒体に画像を書き込むことによりその記録媒体上に画像を記録するプリンタにおいて、
上記記録媒体が複数枚重ねられて収容された媒体パックが装填されるパック室と、
上記パック室に装填された記録媒体のうちの１枚分の記録媒体の搬送方向後端に係止しその記録媒体をその搬送方向に掻き上げて元の待機位置に戻るクローと、
上記クローにより掻き上げられてきた記録媒体の搬送を引き継ぐ搬送ローラとを備え、
上記クローが、上記パック室に装填された媒体パック内の記録媒体の面と向き合う面に設置され、その面から上記パック室に装填された記録媒体のうちの１枚分の記録媒体の搬送方向後端に延在してその１枚分の記録媒体後端に係止する係止部を有するものであることを特徴とする。
【０００７】
本発明のプリンタは、パック室に装填された媒体パック内の記録媒体の面と向き合う面に、記録媒体のうちの１枚分の記録媒体の搬送方向後端に延在してその１枚分の記録媒体後端に係止する係止部を有するクローを備えたものであるため、クローの掻き上げを行なうために比較的大きな面積を有するカム等の機構部を、その記録媒体の面と向き合う面に設置することができる。従って、従来の、パック室の側面にクローおよびカム等の機構部を設置する技術と比較し、プリンタの薄型化が図られる。
【０００８】
ここで、上記面と同じ側の面に設置された、一回転により搬送の一連のシーケンスを完了させる一回転カムと、その一回転カムが一回転する間に複数回回転する複数回転カムとを備え、
上記クローの掻き上げは、上記複数回転カムによって行なわれるものであることが好ましい。
【０００９】
カムを一回転させてクローの掻き上げを行なうと、必要な掻き上げ量を少ない回転角で行なう必要があり駆動効率は低い。従って、クローの掻き上げを行なうための機構部は比較的大きな動力が必要となり、またその機械的な強度も必要となる。そこで、一連のシーケンスを完了させる一回転カムが一回転する間に複数回回転する複数回転カムによって、クローの掻き上げを行なうと、比較的大きな回転角でクローの掻き上げを行なうことができ駆動効率が高まる。従って、クローの掻き上げを行なうための機構部は比較的小さな動力で済むため、機構部の小型化が期待できる。
【００１０】
また、上記面と同じ側の面に設置された、上記クローの動きあるいは上記複数回転カムに連動したカウント動作を行なうラチェット式カウンタを備えたものであることも好ましい態様である。
【００１１】
このようにすると、記録媒体の残り枚数を大きな数字で表示することができる機械式のカウンタを簡単に実現することができる。
【発明の効果】
【００１２】
本発明のプリンタによれば、パック室に装填された媒体パック内の記録媒体の面と向き合う面に、１枚分の記録媒体の搬送方向後端に延在してその１枚分の記録媒体後端に係止する係止部を有するクローを備えたものであるため、プリンタの薄型化が図られる。
【発明を実施するための最良の形態】
【００１３】
以下、本発明の実施形態について説明する。
【００１４】
図１は、本発明の一実施形態のプリンタを、斜め前方から見た斜視図である。
【００１５】
このプリンタ１は、携帯電話などと組み合わされて使用されるものであって、露光により潜像が形成され送り出しの際に処理液が展開されて顕像化されるインスタントフイルムシートが複数枚（ここでは１０枚として説明する）積層されたインスタントフイルムパックがパック室に装填され、そのインスタントフイルムシートを画像データに応じて露光して外部に送り出しながらそのインスタントフイルムシートに処理液を展開するものである。このインスタントフイルムシートが本発明にいう記録媒体の一例に相当する。
【００１６】
携帯電話にはＩＲＤＡ（ＩｎｆＲａｒｅｄ  Ｄａｔａ  Ａｓｓｏｃｉａｔｉｏｎ）に準拠した赤外線通信を行なえるものがあり、この赤外線通信を使用して自分の持つ情報を他の情報機器へ送信することができ、カメラ付き携帯電話であれば、画像データをこのプリンタ１に送信することができる。このプリンタ１は、そのカメラ付き携帯電話で撮影された画像を表わす画像データまたはメールなどで携帯電話に送信されてきた画像データが赤外線通信を用いてこのプリンタ１に送信されてきたときに、その画像データに基づいてインスタントフイルムシート上に画像の記録を行なうものであり、さらにその送信された画像データに基づく画像の再記録を、携帯電話から再送信をわざわざ行なわなくても、後述するリピートスイッチを操作するという簡単な操作で別のインスタントフイルムシート上に行なえるものである。
【００１７】
このプリンタ１は、図１に示すように薄型で軽量かつ小型の構造を有する可搬型のプリンタであり、３Ｖ用の一次電池が２個内蔵される。このプリンタ１の筐体１ａ内にインスタントフイルムパックが装填され、そのインスタントフイルムパック内の、積層された１０枚のインスタントフイルムシート一枚一枚に画像の記録が行なわれる。
【００１８】
プリンタ１の筐体１ａの上面には操作ボタンとして、このプリンタ１の電源の投入および遮断を指示する電源スイッチ（以下、電源ＳＷと記述する）１１と、送信された画像データに基づく画像の再記録を行なうためのリピートスイッチ（以下、リピートＳＷと記述する）１２が設けられている。また、筐体１ａの上面には、インスタンフイルムシートの残り枚数を示すカウンタ１３が設けられている。このカウンタ１３は機械式のカウンタであり、未使用のインスタントフイルムパックが装填されると残り枚数が１０枚であることを示す数値‘１０’が表示される。以下、インスタントフイルムシートに画像の記録が行なわれる度に枚数が減算された残り枚数を示す数値が表示され、１０枚目のインスタントフイルムシートに画像の記録が行なわれると残り枚数が０枚であることを示す数値‘０’が表示される。尚、インスタントフイルムパックが抜かれた場合は、何も表示されないブランク状態となる。
【００１９】
また、このプリンタ１の端部には、送受信部１４が備えられている。この送受信部１４は、前述した赤外線通信により送信されてきた画像データを受信するとともに、受信された旨を相手側に知らせるための信号を送信する。
【００２０】
さらに、このプリンタ１の筐体１ａには、電源が投入されると点灯するとともに赤外線通信時に点滅する電源用ＬＥＤ１５、赤外線通信においてエラーが発生すると点灯する通信エラー用ＬＥＤ１６、および内蔵された電池電圧が低下するとユーザに電池交換を促すために点灯するローバッテリ表示用のＬＥＤ１７が設けられている。
【００２１】
また、プリンタ１の側面には、そのプリンタ１の下面側に設けられた後述するフイルムドアを開放するためのフイルムドア開放スイッチ１８が備えられており、コーナー部にはストラップ取付部１ｂが備えられている。
【００２２】
図２は、図１に示すプリンタにおいて、カメラ付き携帯電話からの画像データに基づいて画像が記録されたインスタントフイルムシートが排出される様子を示す図である。
【００２３】
カメラ付き携帯電話２の赤外線通信部をプリンタ１の送受信部１４に向けた状態で、そのカメラ付き携帯電話２を操作して、カメラ付き携帯電話２で撮影された画像を表わす画像データを赤外線通信を用いてこのプリンタ１に送信する。プリンタ１は、赤外線通信により送信されてきた画像データを受信し、その受信した画像データに基づく潜像の記録を露光によりインスタントフイルムシート１００１上に行ないながら、そのインスタントフイルムシート１００１を顕像しつつ、プリンタ１の送出口１９から外部へ徐々に排出する。その後、リピートＳＷ１２が操作されたときにも、その画像と同じ画像の再記録が別のインスタントフイルムシート上に行なわれる。
【００２４】
図３は、図１に示すプリンタの下面側を斜め上方から見た斜視図である。
【００２５】
このプリンタ１の下面側には、図２に示すフイルムドア開放スイッチ１８の操作により開放されるフイルムドア２０が設けられており、このフイルムドア２０が開けられ、インスタントフイルムパックがパック室に装填される。また、フイルムドア２０には、インスタントフイルムパックが装填されているか否かを確認するためのパック在否確認窓２０ａが設けられている。さらに、フイルムドア２０に隣接して、このプリンタ１の電源となる電池を実装するために開放される電池蓋２１も設けられている。
【００２６】
図４は、図３に示すプリンタの、フイルムドアが開けられた状態の斜視図である。
【００２７】
フイルムドア２０の内側には、前述したパック在否確認窓２０ａと、バネ部材２０ｂ,２０ｃが設けられており、これらのバネ部材２０ｂ，２０ｃによってインスタントフイルムパック内に積層されたインスタントフイルムシートがプリンタ１の上面側に押圧される。
【００２８】
また、プリンタ１には、インスタントフイルムパックを装填するためのパック室２２が設けられている。パック室２２外の、図４における右側には、搬送するインスタントフイルムシートに画像を書き込む画像書込部３００および媒体搬送展開部３０が設けられている。これら画像書込部３００および媒体搬送展開部３０の詳細については後述する。また、パック室２２内の、図４における下方には、インスタントフイルムシートを画像書込部３００および媒体搬送展開部３０側に送り出させるためのクロー（爪）２４が設けられている。尚、クロー２４の詳細については後述する。このような構成によって、インスタントフイルムパック内のインスタントフイルムシートのうちの、プリンタ１の一番上面側にあるインスタントフイルムシートがクロー２４で掻き上げられて媒体搬送展開部３０で搬送されながら画像書込部３００で画像が書き込まれて現像される。
【００２９】
図５は、図４に示すプリンタの、筐体が取り外された状態の斜視図である。
【００３０】
図５には、直流モータ４０６と、その直流モータ４０６からの回転駆動力を後述する搬送ロールおよび展開ロールに伝達するギア列３９を備えた媒体搬送展開部３０が示されている。また、この図５には、パック室２２内に設けられたクロー２４、およびインスタントフイルムパックの装填により押圧される後述するカウンタレバーのリブ１３＿３ａも示されている。
【００３１】
図６は、プリンタ内部の制御系統を示す構成ブロック図である。
【００３２】
図６の右端側には、図１に示すプリンタ１の模式図が示されており、この右端部を除く全域に、このプリンタ１の制御系統を示す構成が示されている。尚、図６に示す矢印は、このプリンタ１における、制御系統を示す構成要素それぞれの配置関係を示す。
【００３３】
このプリンタ１には、メイン基板部１００と、サブ基板部２００と、画像書込部３００と、ＦＰＩ部４０１と、ＥＮＣＰＩ部４０２と、ＣＯＵＮＴＰＩ部４０３と、カムスイッチ４０４と、前述した送受信部１４に設けられたＩｒＤＡ送受信部４０５と、上述した直流モータ４０６とが備えられている。
【００３４】
サブ基板部２００には、前述した電源ＳＷ１１，リピートＳＷ１２、および表示用ＬＥＤ部２０１が備えられている。表示用ＬＥＤ部２０１には、前述した電源用ＬＥＤ１５，通信エラー用ＬＥＤ１６，ローバッテリ表示用のＬＥＤ１７、およびカウンタ１３の裏側に設けられたカウンタバックライト用のＬＥＤ（図示せず）が備えられている。
【００３５】
画像書込部３００には、光ガイドや液晶シャッタ（ＬＣＳ）等を有する光ヘッド部３０１と、その光ヘッド部３０１とメイン基板部１００とを接続するフレキシブルケーブル３０２,３０３と、フレキシブルケーブル３０３に実装されたレッド（Ｒ）,グリーン（Ｇ）,ブルー（Ｂ）の発光色を持つ発光素子（ＬＥＤ）３０４,３０５,３０６とが備えられている。この画像書込部３００は、搬送途中のインスタントフイルムシートに、書込指示パルスに同期して送受信部１４により受信した画像データに基づいて、ＬＥＤ３０４,３０５,３０６からのＲ，Ｇ，Ｂの３つの色光を循環的に照射することにより、そのインスタントフイルムシートに潜像を書き込む。また、プリンタ１には、３Ｖ用の一次電池４０７が２個内蔵される。
【００３６】
以下、メイン基板部１００について説明する。メイン基板部１００には、直列接続された一次電池４０７からの６Ｖの電源電圧ＶＢが印加される。このメイン基板部１００には、ＭＰＵ（Ｍｉｃｒｏ  Ｐｒｏｃｅｓｓｏｒ  Ｕｎｉｔ）１０１と、発振子１０２と、リセット回路１０３と、フラッシュメモリ（ＦＬＡＳＨ）１０４と、ＳＤＲＡＭ１０５とが備えられている。
【００３７】
ＭＰＵ１０１は、このプリンタ１の動作を統括的に制御する。
【００３８】
発振子１０２は、所定の周波数の発振信号を生成してＭＰＵ１０１に動作用のクロック信号として供給する。
【００３９】
リセット回路１０３は、ＭＰＵ１０１の初期化を行なうためのリセット信号を出力する。
【００４０】
フラッシュメモリ１０４は、不揮発性のメモリであり、このフラッシュメモリ１０４には、プリンタ１固有の機構等に依存して定まる固体差調整用の調整値等が記憶される。
【００４１】
ＳＤＲＡＭ１０５は、揮発性のメモリであり、このＳＤＲＡＭ１０５には、カメラ付き携帯電話２からの画像データ等が記憶される。
【００４２】
また、このメイン基板部１００には、６Ｖの電源電圧ＶＢを入力して、２．５Ｖの電圧を出力する電源部１０６、３．３Ｖの電圧を出力する電源部１０７、および１５Ｖの電圧を出力するＤＣ／ＤＣコンバータ１０８が備えられている。さらに、ＭＰＵ１０１からの指示を受けてこれら電源部１０６，１０７，ＤＣ／ＤＣコンバータ１０８を制御する電源制御部１０９も備えられている。ここで、２．５Ｖの電圧はＭＰＵ１０１に供給されるとともに３．３Ｖの電圧はＭＰＵ１０１以外の周辺回路に供給される。また、１５Ｖの電圧は、後述するＬＣＤ駆動用として用いられる。
【００４３】
このプリンタ１では、一次電池４０７の長寿命化を図るために、低消費電力モードであるスタンバイモードを有するＭＰＵ１０１を備え、電源ＳＷ１２が押された場合であっても、ＭＰＵ１０１は、初期処理が終了した時点でスタンバイモードとなる。この状態で外部から赤外線通信が行なわれると、スタンバイモードから通常の動作モードに移行してインスタントフイルムシートに画像を記録し、速やかに通常の動作モードからスタンバイモードに移行する。また、リピートＳＷ１２が押された場合もインスタントフイルムシートに画像を記録した後はスタンバイモードになる。さらに、ＭＰＵ１０１が、各部に対して必要な動作時のみ電力を供給するように、電源制御部１０９を介して電源部１０６，１０７，ＤＣ／ＤＣコンバータ１０８を制御する。このようにすることにより、内蔵された一次電池４０７で長期に渡ってこのプリンタ１を使用することができる。
【００４４】
さらに、メイン基板部１００には、ＢＣ部１１０と、ＴＰＧ部１１１と、温度検出部１１２と、発振子１１３と、ＩｒＤＡ／ＬＣＳ制御部１１４と、ヘッドＬＥＤ駆動部１１５とが備えられている。
【００４５】
ＢＣ部１１０は、一次電池４０７の電源電圧ＶＢが所定の値よりも低下したか否かをチェックする。ＭＰＵ１０１は、このチェック結果を参照して一次電池４０７の電源電圧ＶＢが所定の値よりも低下していると判定した場合は、ユーザに電池交換を促すためにローバッテリ表示用のＬＥＤ１７を点灯する。
【００４６】
ＴＰＧ部１１１は、ＤＣ／ＤＣコンバータ１０８から出力される１５Ｖの電圧をオン，オフする。
【００４７】
温度検出部１１２は、画像書込部３００の温度を検出する。ＭＰＵ１０１は、この温度検出部１１２からの検出信号に応じて光学ヘッド部３０１内の液晶シャッタの各シャッタ部のシャッタスピード等を制御する。
【００４８】
発振子１１３は、所定の周波数の発振信号を生成してＩｒＤＡ／ＬＣＳ制御部１１４に供給する。
【００４９】
ＩｒＤＡ／ＬＣＳ制御部１１４は、発振子１１３からの発振信号に基づいてＩｒＤＡ送受信部４０５および光ヘッド部３０１を制御する。ＩｒＤＡ送受信部４０５には赤外線通信を行なうための投光素子および受光素子が備えられており、ＩｒＤＡ／ＬＣＳ制御部１１４は、上記受光素子で光電変換されたデータをＭＰＵ１０１に送ったり、ＭＰＵ１０１からその旨を外部の機器に知らせるためのデータを上記投光素子経由で外部に送信したりする。また、ＩｒＤＡ／ＬＣＳ制御部１１４は、ＭＰＵ１０１からの指示に基づいて、フレキシブルケーブル３０２を介して光ヘッド部３０１に備えられた液晶シャッタを制御する。
【００５０】
ヘッドＬＥＤ駆動部１１５は、ＭＰＵ１０１の指示に基づいた電流を、フレキシブルケーブル３０３を経由してＬＥＤ３０４，３０５，３０６に流すことにより、それらＬＥＤ３０４，３０５，３０６を駆動する。
【００５１】
本実施形態のプリンタ１は、インスタントフイルムシートを直流モータ４０６で所定の副走査方向（インスタントフイルムシートが送り出される方向）に送りながら、そのインスタントフイルムシート上にその副走査方向に関しＲ，Ｇ，Ｂの３色の色について循環的に書き込むとともに、その副走査方向に交わる主走査方向については、その主走査方向に並ぶ全画素について、同時に同じ色の書き込みを行なうことにより、そのインスタントフイルムシート上にカラー画像を記録するプリンタである。
【００５２】
カラー画像を記録するにあたり、画像書込部３００を構成する光学ヘッド部３０１には、フレキシブルケーブル３０２を介してＩｒＤＡ／ＬＣＳ制御部１１４から画像データに応じた制御信号が供給される。この制御信号は光学ヘッド部３０１内の液晶シャッタの各シャッタ部のシャッタスピードを制御するものである。この各シャッタ部のシャッタスピードが画像データに応じて制御され、フレキシブルケーブル３０３に備えられたＬＥＤ３０４，３０５，３０６からのＲＧＢそれぞれに対応する光がインスタントフイルムシート上に照射され、インスタントフイルムシートの幅方向に多数の光点（ドット）からなる潜像が記録される。この幅方向つまり一次元的に各シャッタ部が配列されている方向が、主走査方向である。従って、この各シャッタ部が主走査方向に電子的に走査されて１ライン分の光点（全画素）がインスタントフイルムシートシート上に記録される。この光学ヘッド部３０１の電子走査によってインスタントフイルムシートの主走査方向に多数のドットからなる光点が記録される。また、上述したように、本実施形態では、直流モータ４０６によりインスタントフイルムシートシートが副走査方向に送られている。従って、副走査方向についても画像書込部３００によって多数のドット毎に光点が順次記録されていくこととなる。
【００５３】
さらに、メイン基板部１００には、ＰＩ駆動部１１６が備えられている。このＰＩ駆動部１１６は、ＦＰＩ部４０１，ＥＮＣＰＩ部４０２，ＣＯＵＮＴＰＩ部４０３を駆動する。ここで、ＦＰＩ部４０１，ＥＮＣＰＩ部４０２，ＣＯＵＮＴＰＩ部４０３について説明する。
【００５４】
ＦＰＩ部４０１は、インスタントフイルムシートの有無を検出するためのフォトインタラプタである。
【００５５】
ＥＮＣＰＩ部４０２は、直流モータ４０６の回転に同期したパルス列からなるエンコード信号を出力するためのフォトインタラプタである。
【００５６】
ＣＯＵＮＴＰＩ部４０３は、カウンタ１３がリセット状態（インスタントフイルムパックが抜かれた状態）を検知するためのフォトインタラプタである。
【００５７】
また、メイン基板部１００には、カムスイッチ４０４が接続されている。このカムスイッチ４０４は、このプリンタ１の搬送機構における初期位置をモニタするためのスイッチである。
【００５８】
さらに、メイン基板部１００には、モータ駆動部１１７が備えられている。このモータ駆動部１１７は、ＭＰＵ１０１からの指示を受けて、ＥＮＣＰＩ部４０２から出力されたエンコード信号のパルス列の時間間隔が所定の時間間隔となるように直流モータ４０６の回転速度を制御する。
【００５９】
図７は、インスタントフイルムシートの露光面を示す斜視図、図８は、インスタントフイルムシートの観察面を示す斜視図である。
【００６０】
図７には、インスタントフイルムシート１００１の露光面１００１＿１が示されている。この露光面１００１＿１には、インスタントフイルムシート１００１の搬送方向先端部に配備された処理液溜り１００１ａと、画像が露光される露光部１００１ｂと、余白部１００１ｃと、余った処理液を吸収するトラップ部１００１ｄとが設けられている。また、図８には、インスタントフイルムシート１００１の観察面１００１＿２側が示されている。この観察面１００１＿２には、露光により潜像が形成され処理液の展開を受けて顕像化された画像を観察するための観察部１００１ｅと、余白部１００１ｆが設けられている。
【００６１】
図９は、媒体搬送展開部の断面図である。
【００６２】
媒体搬送展開部３０には、インスタントフイルムシート１００１の両側部を挟んでそのインスタントフイルムシート１００１を搬送する一対の搬送ローラ３１，３２が備えられている。搬送ローラ３２は、バネ部材３５＿１で搬送ローラ３１側に付勢されている。
【００６３】
また、媒体搬送展開部３０には、上記一対の搬送ローラ３１，３２よりもインスタントフイルムシート１００１の搬送方向下流側に配備され、そのインスタントフイルムシート１００１を全幅に亘って挟んで処理液溜り１００１ａを押し潰して処理液を展開する一対の展開ローラ３３，３４が備えられている。展開ローラ３４は、バネ部材３５＿２で展開ローラ３３側に付勢されている。
【００６４】
さらに、媒体搬送展開部３０には、搬送ローラ３１,３２と展開ローラ３３,３４との間に位置して展開中の処理液を制御するための制御板３６,３７と、インスタントフイルムシート１００１を案内するためのフイルム案内フレーム３８が備えられている。また、インスタントフイルムパック２５の出口近傍には、画像書込部３００が設けられている。
【００６５】
本実施形態のプリンタ１は、インスタントフイルムパック２５内のインスタントフイルムシート１００１のうちの、プリンタ１の一番上面側にあるインスタントフイルムシート１００１を、所定の搬送開始点Ｐｓからクロー２４（図４、図５参照。詳細については後述する）で掻き上げて、搬送ローラ３１，３２で搬送しながら画像書込部３００で固定書込点Ｐｆにて画像を書き込み始める。さらに、このプリンタ１は、インスタントフイルムシート１００１に画像を書き込みながら搬送ローラ３１，３２でインスタントフイルムシート１００１を搬送し、展開ローラ３３，３４で処理液溜り１００１ａを押し潰して処理液を展開し、展開中の処理液を制御板３６,３７で制御して現像を行なって所定の搬送終了点Ｐｅまで搬送する。このようにして、１枚のインスタントフイルムシート１００１上に画像を記録する。
【００６６】
図１０は、本実施形態のプリンタを表面側から見た場合の、筐体が取り外された状態の斜視図、図１１は、図１０に示すプリンタに文字板が取付けられた状態の斜視図である。
【００６７】
このプリンタ１には、パック室２２が内包された箱体５１と、その箱体５１の上面に配備されたカバー部材２７およびカウンタ１３が設けられている。
【００６８】
カウンタ１３は、クロー２４の動きに連動したカウント動作を行なうラチェット式カウンタであり、このカウンタ１３には、図１０に示すように、直流モータ４０６（図５参照）の回転駆動力を伝達するウォームギア３９＿１１を介して駆動するギア１３＿１が備えられている。ギア１３＿１の上部には、図１１に示す文字板１３＿５が載置される。この文字板１３＿５は、インスタンフイルムシート１００１の残り枚数を示す数値‘１０’〜‘０’およびブランク状態を示す部分を有する。また、カウンタ１３には、図１０に示すように、ギア１３＿１を時計方向に付勢するバネ部材１３＿２と、先端部がギア１３＿１の歯に係合するカウンタレバー１３＿３と、一端がカウンタレバー１３＿３に保持されるとともに他端が図１１に示す部材２６に保持されてこのカウンタレバー１３＿３を付勢するバネ部材１３＿４とが備えられている。このように構成されたカウンタ１３では、クロー２４の動きに連動してギア１３＿１が２歯分だけ反時計方向に回動することにより文字板１３＿５を数値１つ分だけ回動させる。このように、クロー２４の動きに連動したカウント動作を行なうカウンタ１３が、パック室２２に装填されたインスタントフイルムパック２５内のインスタントフイルムシートの露光面と向き合う面と同じ側の面に設置されているため、インスタントフイルムシートの残り枚数を表示するための文字板１３＿５を大きくすることができる。従って、インスタントフイルムシートの残り枚数を大きな数字で表示することができ、残り枚数を示す数字が見やすくなる。
【００６９】
図１２は、図１０に示すプリンタの断面図である。
【００７０】
図１２には、前述したギア１３＿１およびバネ部材１３＿２と、展開ローラ３３，３４と、パック室２２と、そのパック室２２に装填されたインスタントフイルムシート１００１と、クロー２４とが示されている。このクロー２４は、インスタントフイルムシート１００１の搬送方向後端に係止し、次いで図１２に示すように上から下に移動し、さらにインスタントフイルムシート１００１を搬送方向に掻き上げて元の待機位置に戻る部材である。以下、このクロー２４の詳細について、図１３および図１４を参照して説明する。
【００７１】
図１３は、待機位置にあるクローを拡大して示す図である。
【００７２】
図１３に示すクロー２４は、パック室２２に装填されたインスタントフイルムパック２５内のインスタントフイルムシート１００１のうちの、プリンタ１の一番上面側にあるインスタントフイルムシート１００１の面（露光面）と向き合う面に設置されその面からパック室２２に装填されたインスタントフイルムシート１００１の搬送方向後端に係止部２４ａが延在している部材である。また、クロー２４は、当接部２４ｂを有する。待機状態では、このクロー２４の係止部２４ａは、この図１３に示すように、インスタントフイルムパック２５の端部後方に位置している。
【００７３】
図１４は、図１３に示すクローがインスタントフイルムシートを搬送方向に掻き上げ始める様子を示す図である。
【００７４】
直流モータ４０６が回転すると、クロー２４が図１４の右側に移動を開始する。すると、クロー２４の当接部２４ｂが、インスタントフイルムシート１００１の面（露光面）に当接する。このようにすることにより、クロー２４の係止部２４ａでそのインスタントフイルムシート１００１の後端を確実に捉えて掻き上げることができる。さらに、図１５〜図２１を参照して、このプリンタ１の、クロー２４の掻き上げ動作を含む一連のシーケンス動作について説明する。
【００７５】
図１５は、図１０に示すプリンタの、カバー部材を取り外した状態の平面図である。
【００７６】
図１５には、矢印Ａ方向に回転するウォームギア３９＿１１と、そのウォームギア３９＿１１からの回転駆動力を受けて矢印Ｂ方向に回転する３回転カム６１（本発明にいう複数回転カムの一例に相当）と、３回転カム６１に連動して回転するギア６２と、ギア６２に噛合して矢印Ｃ方向に回転するギア６３と、ギア６３からの回転駆動力を受けて矢印Ｄ方向に回転する一回転カム６４とが示されている。ここで、３回転カム６１が３回転すると一回転カム６４が一回転する。３回転カム６１の裏面には係合部材６１ａが設けられている。一方、一回転カム６４は、一回転することにより搬送の一連のシーケンスを完了させるカムである。また、一回転カム６４は、一連のシーケンスの初期位置をモニタするためのカムスイッチ４０４（図６参照）が挿通される穴部６４ａを有する。
【００７７】
また、図１５には、クロープレート６５と、このクロープレート６５を図１５の左方向に付勢するためのバネ部材６６が示されている。クロープレート６５には、クロー２４を案内するための直進ガイド溝６５ａが設けられている。また、クロープレート６５には、バネ部材６６を保持する保持部材６５ｂが設けられている。さらに、クロープレート６５は、３回転カム６１の裏面に設けられた係合部材６１ａに係合する頭部６５ｃ，６５ｄを有する。
【００７８】
さらに、図１５には、一回転カム６４の裏面側に設けられた半月状のカム部材６７と、クロープレート６５に設けられてカム部材６７に摺動するカムフォロア部材６８が示されている。
【００７９】
この図１５には、クロー２４が掻き上げを開始する直前の状態が示されている。この状態では、３回転カム６１の係合部材６１ａが、クロープレート６５の頭部６５ｃに係合している。一方、カムフォロア部材６８はカム部材６７に摺動されていない状態にある。
【００８０】
ここで、ウォームギア３９＿１１が回転を開始する。すると、３回転カム６１が矢印Ｂ方向に回転し始める。クロープレート６５の頭部６５ｃには、３回転カム６１の係合部材６１ａが係合しているため、クロープレート６５がウォームギア３９＿１１の方向に上昇を開始する。
【００８１】
図１６は、クロープレートが上昇を開始し始めた時点の状態を示す図である。
【００８２】
上述したようにして、クロープレート６５が上昇を開始すると、そのクロープレート６５に設けられた直進ガイド溝６５ａに案内されてクロー２４が上昇する。これにより、インスタントフイルムシート１００１の掻き上げが開始される。尚、一回転カム６４もギア６２，６３を介しては、３回転カム６１の１／３だけ矢印Ｄ方向に回転し、これに伴いカム部材６７も矢印Ｄ方向に回転する。
【００８３】
図１７は、クロープレートがさらに上昇した状態を示す図である。
【００８４】
３回転カム６１がさらに矢印Ｂ方向に回転して、クロープレート６５が最上点の手前まで上昇する。すると、クロー２４もそのクロー２４自身の最上点手前まで達する。また、一回転カム６４もギア６２，６３を介しては、３回転カム６１の１／３だけ矢印Ｄ方向にさらに回転し、これに伴いカム部材６７も矢印Ｄ方向にさらに回転する。
【００８５】
図１８は、クロープレートが最上点まで達した状態を示す図である。
【００８６】
３回転カム６１がさらに回転すると、クロープレート６５が最上点まで上昇する。すると、カムフォロア部材６８が、一回転カム６４の裏面側に設けられたカム部材６７への摺動を開始する。一方、３回転カム６１の裏面に設けられた係合部材６１ａは頭部６５ｃから逸脱する。このように、係合部材６１ａが頭部６５ｃから逸脱した場合であっても、カムフォロア部材６８がカム部材６７に沿って緩やかに下降するため、バネ部材６６でクロープレート６５が下方に急激に戻されることが防止される。
【００８７】
図１９は、最上点まで達したクロープレートが待機位置に戻される途中の状態を示す図である。
【００８８】
３回転カム６１のさらなる回転に伴い、カムフォロア部材６８がカム部材６７に摺動した状態で、係合部材６１ａが、今度はクロープレート６５の頭部６５ｄに係合する。このようにして、一連のシーケンスが行なわれていく。
【００８９】
図２０は、３回転カムが３回転目の途中にある状態を示す図である。
【００９０】
３回転カム６１が３回転した時点では、カムフォロア部材６８がカム部材６７から逸脱しつつある。一方、係合部材６１ａは、クロープレート６５の頭部６５ｄに係合した状態にある。
【００９１】
図２１は、３回転カムが３回転目を終了しつつある状態を示す図である。
【００９２】
３回転カム６１が３回転目を終了しつつある状態では、カムフォロア部材６８がカム部材６７から逸脱した状態にあるものの、係合部材６１ａがクロープレート６５の頭部６５ｄに係合した状態にあるため、バネ部材６６でクロープレート６５が下方に急激に戻されることもなく、クロープレート６５が緩やかに下降する。このようにして、一連のシーケンスが終了してインスタントフイルムシート１００１上に画像が記録される。
【００９３】
本実施形態のプリンタ１は、パック室２２に装填されたインスタントフイルムパック２５内のインスタントフイルムシート１００１の露光面と向き合う面に、１枚分のインスタントフイルムシート１００１の搬送方向後端に延在してその１枚分のインスタントフイルムシート１００１後端に係止する係止部２４ａを有するクロー２４を備えたものであるため、そのクロー２４の掻き上げを行なうために比較的大きな面積を有する３回転カム６１，一回転カム６４，クロープレート６５等の機構部を、インスタントフイルムシート１００１の露光面と向き合う面に設置することができる。従って、従来の、パック室の側面にクローおよびカム等の機構部を設置する技術と比較し、プリンタ１の薄型化が図られる。
【図面の簡単な説明】
【００９４】
【図１】本発明の一実施形態のプリンタを、斜め前方から見た斜視図である。
【図２】図１に示すプリンタにおいて、カメラ付き携帯電話からの画像データに基づいて画像が記録されたインスタントフイルムシートが排出される様子を示す図である。
【図３】図１に示すプリンタの下面側を斜め上方から見た斜視図である。
【図４】図３に示すプリンタの、フイルムドアが開けられた状態の斜視図である。
【図５】図４に示すプリンタの、筐体が取り外された状態の斜視図である。
【図６】プリンタ内部の制御系統を示す構成ブロック図である。
【図７】インスタントフイルムシートの露光面を示す斜視図である。
【図８】インスタントフイルムシートの観察面を示す斜視図である。
【図９】媒体搬送展開部の断面図である。
【図１０】本実施形態のプリンタを表面側から見た場合の、筐体が取り外された状態の斜視図である。
【図１１】図１０に示すプリンタに文字板が取付けられた状態の斜視図である。
【図１２】図１０に示すプリンタの断面図である。
【図１３】待機位置にあるクローを拡大して示す図である。
【図１４】図１３に示すクローがインスタントフイルムシートを搬送方向に掻き上げ始める様子を示す図である。
【図１５】図１０に示すプリンタの、カバー部材を取り外した状態の平面図である。
【図１６】クロープレートが上昇を開始し始めた時点の状態を示す図である。
【図１７】クロープレートがさらに上昇した状態を示す図である。
【図１８】クロープレートが最上点まで達した状態を示す図である。
【図１９】最上点まで達したクロープレートが待機位置に戻される途中の状態を示す図である。
【図２０】３回転カムが３回転目の途中にある状態を示す図である。
【図２１】３回転カムが３回転目を終了しつつある状態を示す図である。
【符号の説明】
【００９５】
１  プリンタ
１ａ  筐体
１ｂ  ストラップ取付部
２  カメラ付き携帯電話
１１  電源スイッチ（電源ＳＷ）
１２  リピートスイッチ（リピートＳＷ）
１３  カウンタ
１３＿１，６２，６３  ギア
１３＿２，１３＿４，６６  バネ部材
１３＿３  カウンタレバー
１３＿３ａ  リブ
１３＿５  文字板
１４  送受信部
１５  電源用ＬＥＤ
１６  通信エラー用ＬＥＤ
１７  ローバッテリ表示用のＬＥＤ
１８  フイルムドア開放スイッチ
１９  送出口
２０  フイルムドア
２０ａ  パック在否確認窓
２０ｂ,２０ｃ，３５＿１，３５＿２，６６  バネ部材
２１  電池蓋
２２  パック室
２３  搬送ローラ
２４  爪（クロー）
２４ａ  係止部
２４ｂ  当接部
２５  インスタントフイルムパック
２６  部材
２７  カバー部材
３０  媒体搬送展開部
３１,３２  搬送ローラ
３３,３４  展開ローラ
３６，３７  制御板
３８  フイルム案内フレーム
３９  ギア列
３９＿１１  ウォームギア
５１  箱体
６１  ３回転カム
６１ａ  係合部材
６４  一回転カム
６４ａ  穴部
６５  クロープレート
６５ａ  直進ガイド溝
６５ｂ  保持部材
６５ｃ，６５ｄ  頭部
６７  カム部材
６８  カムフォロア部材
１００  メイン基板部
１０１  ＭＰＵ
１０２，１１３  発振子
１０３  リセット回路
１０４  フラッシュメモリ
１０５  ＳＤＲＡＭ
１０６，１０７  電源部
１０８  ＤＣ／ＤＣコンバータ
１０９  電源制御部
１１０  ＢＣ部
１１１  ＴＰＧ部
１１２  温度検出部
１１４  ＩｒＤＡ／ＬＣＳ制御部
１１５  ヘッドＬＥＤ駆動部
１１６  ＰＩ駆動部
１１７  モータ駆動部
２００  サブ基板部
２０１  表示用ＬＥＤ部
３００  画像書込部
３０１  光ヘッド部
３０２，３０３  フレキシブルケーブル
３０４,３０５,３０６  発光素子（ＬＥＤ）
４０１  ＦＰＩ部
４０２  ＥＮＣＰＩ部
４０３  ＣＯＵＮＴＰＩ部
４０４  カムスイッチ
４０５  ＩｒＤＡ送受信部
４０６  直流モータ
４０７  一次電池
１００１  インスタントフイルムシート
１００１＿１  露光面
１００１＿２  観察面
１００１ａ  現像溜まり
１００１ｂ  露光部
１００１ｃ，１００１ｆ  余白部
１００１ｄ  トラップ部
１００１ｅ  観察部
【図１】
2005280872.tif 000003
【図２】
2005280872.tif 000004
【図３】
2005280872.tif 000005
【図４】
2005280872.tif 000006
【図５】
2005280872.tif 000007
【図６】
2005280872.tif 000008
【図７】
2005280872.tif 000009
【図８】
2005280872.tif 000010
【図９】
2005280872.tif 000011
【図１０】
2005280872.tif 000012
【図１１】
2005280872.tif 000013
【図１２】
2005280872.tif 000014
【図１３】
2005280872.tif 000015
【図１４】
2005280872.tif 000016
【図１５】
2005280872.tif 000017
【図１６】
2005280872.tif 000018
【図１７】
2005280872.tif 000019
【図１８】
2005280872.tif 000020
【図１９】
2005280872.tif 000021
【図２０】
2005280872.tif 000022
【図２１】
2005280872.tif 000023